(57)【要約】【課題】液晶ディスプレイ装置を設計する方法およびシステムを提供する。【解決手段】この方法およびシステムは、以下のステップを含む。それらは、複数の液晶ディスプレイフィルムのうちの少なくとも１つの視野角に基づいて、液晶ディスプレイ装置の液晶セル間のギャップの範囲を決定するステップと、複数の液晶モジュールのパネル透過率および色域に基づいて、液晶ディスプレイ装置の液晶セル間のギャップの少なくとも１つの値を決定するステップと、複数のカラーフィルタフィルムおよびカラーモジュールの光学特性に基づいて、カラーフィルタおよび液晶ディスプレイ装置の１組の光学特性を決定するステップと、液晶ディスプレイ装置およびカラーフィルタの１組の光学特性に関連する値を調整するステップである。それにより、現在および今後の設計のための１組の調整値を生成する。【選択図】  なし【特許請求の範囲】
【請求項１】
複数の液晶ディスプレイフィルムのうちの少なくとも１つの視野角に基づいて、液晶ディスプレイ装置の液晶セル間のギャップの範囲を決定するステップと、
複数の液晶モジュールのパネル透過率および色域に基づいて、前記液晶ディスプレイ装置の前記液晶セル間のギャップの少なくとも１つの値を決定するステップと、
複数のカラーフィルタフィルムおよびカラーモジュールの光学特性に基づいて、カラーフィルタおよび前記液晶ディスプレイ装置の１組の光学特性を決定するステップと、
前記液晶ディスプレイ装置および前記カラーフィルタの前記１組の光学特性に関連する値を調整し、現在および今後の設計のために１組の調整値を生成するステップとを含む、液晶ディスプレイ装置を設計する方法。
【請求項２】
前記複数の液晶ディスプレイフィルムの複数のギャップの少なくとも２つの値、およびそれらに対応する視野角を用いて、前記ギャップの範囲を決定し、前記複数のギャップの値およびそれらの対応する視野角を用いて、前記範囲を表わす式を確立する、請求項１に記載の方法。
【請求項３】
複数の液晶モジュールのパネル透過率および色域を用いて、前記液晶ディスプレイ装置の前記液晶セル間のギャップの少なくとも１つの値を決定し、前記パネル透過率と前記色域の複数の関係を確立する、請求項１に記載の方法。
【請求項４】
製品を設計するシステムを開発するのに適している液晶ディスプレイモジュールを設計する方法であって、前記システムはデータベースを含み、複数の液晶フィルム、複数のカラーフィルタフィルム、複数のテストモジュール、および複数の標準モジュールに関連する色特性パラメータが前記データベースに蓄積され、前記方法は、
複数の液晶セルギャップおよびそれらのそれぞれの視野角に関連するデータに基づいて、前記視野角と前記セルギャップの関係式をもたらし、前記セルギャップの範囲を得るステップと、
複数のパネル透過率およびそれらのそれぞれの色域に関連するデータに基づいて、前記複数のパネル透過率とそれらのそれぞれの色域の関係式をもたらし、少なくとも１つのセルギャップ値を得るステップと、
前記複数のカラーフィルタフィルムおよびテストモジュールに関連するデータに基づいて、カラーフィルタフィルムの厚さとカラーフィルタ特性の関係、カラーフィルタ特性と液晶テストモジュールの関係を含む１組の関係式をもたらし、上記関係に基づいて、カラーフィルタ規格および製品規格を決定するステップと、
測定値とモデル値の比に基づいて、製品の色特性を補正するステップとを含む、液晶ディスプレイモジュールを設計する方法。
【請求項５】
製品のプロトタイプを設計するために液晶モジュールを設計するシステムであって、前記システムは、以下のステップを含む方法を行う手段を含み、前記方法は、
複数の液晶ディスプレイフィルムのうちの少なくとも１つの視野角に基づいて、液晶ディスプレイ装置の液晶セル間のギャップの範囲を決定するステップと、
複数の液晶モジュールのパネル透過率および色域に基づいて、前記液晶ディスプレイ装置の前記液晶セル間のギャップの少なくとも１つの値を決定するステップと、
複数のカラーフィルタフィルムおよびカラーモジュールの光学特性に基づいて、カラーフィルタおよび前記液晶ディスプレイ装置の１組の光学特性を決定するステップと、
前記液晶ディスプレイ装置および前記カラーフィルタの前記１組の光学特性に関連する値を調整し、現在および今後の設計のために１組の調整値を生成するステップとを含む、液晶モジュールを設計するシステム。
【請求項６】
製品のプロトタイプを設計するために液晶モジュールを設計するシステムであって、前記システムはデータベースを含み、複数の液晶フィルム、複数のカラーフィルタフィルム、複数のテストモジュール、および複数の標準モジュールに関連する色特性パラメータが前記データベースに蓄積され、前記システムは、以下のステップを含む方法を行う手段を含み、前記方法は、
複数の液晶セルギャップおよびそれらのそれぞれの視野角に関連するデータに基づいて、前記視野角と前記セルギャップの関係式をもたらし、前記セルギャップの範囲を得るステップと、
複数のパネル透過率およびそれらのそれぞれの色域に関連するデータに基づいて、前記複数のパネル透過率とそれらのそれぞれの色域の関係式をもたらし、少なくとも１つのセルギャップ値を得るステップと、
前記複数のカラーフィルタフィルムおよびテストモジュールに関連するデータに基づいて、カラーフィルタフィルムの厚さとカラーフィルタ特性の関係、カラーフィルタ特性と液晶テストモジュールの関係を含む１組の関係式をもたらし、上記関係に基づいて、カラーフィルタ規格および製品規格を決定するステップと、
測定値とモデル値の比に基づいて、製品の色特性を補正するステップとを含む、液晶モジュールを設計するシステム。
【発明の詳細な説明】
【０００１】
【発明の属する技術分野】
本発明は、設計システムをモデル化するシステムおよび方法に関する。より詳しくは、本発明は、液晶ディスプレイモジュール設計システムおよび方法に関する。
【０００２】
【従来の技術】
液晶ディスプレイ（ＬＣＤ）は、テレビ受像機、コンピュータモニタ、航空電子工学ディスプレイ、航空宇宙用ディスプレイ、および他の軍事関連ディスプレイなどのシステムでの使用に人気が出ている。液晶ディスプレイは、大きさが小さく、重量が軽く、それを駆動する電力が少なくて済む。日常での使用から、高レベルの産業上の応用まで、液晶ディスプレイは、陰極線管が使用されているところで徐々に位置を占めつつある。
【０００３】
新しい液晶ディスプレイ装置の開発において、モジュール規格を確立するために市場情報を最初に集めることが知られている。設計者は、液晶ディスプレイの形状およびそれに関連する関連構造を設計する。上記形状設計およびその関連構造により、バックライト光源の光度が制限される。光度は、フロントパネルの光学特性およびその関連パラメータに関連する。さらに、開発の後の段階で、光度およびフロントパネル表面の関連パラメータに基づいて、最終製品のモジュールを製造する。最終製品を、さらにテストする。テストに基づいて、さらに補正を行うことができる。
【０００４】
【発明が解説しようとする課題】
しかし、上記の方法では、最初に最終製品を製造するか、任意のテストまたは補正を行える前に完成製品を製造しなければならない。したがって、時間がかかり、設計プロセスのコストが高くなる。
【０００５】
理解できるように、液晶モジュール設計を効率的に行える改良されたシステムおよび方法が必要である。また、設計のために、確信を伴って、液晶ディスプレイモジュールのさまざまな光学特性を推定できる、改良されたシステムおよび方法が必要である。
【０００６】
本発明において、より効率的で正確な最終製品のために液晶ディスプレイ設計方法およびシステムを提供する。
【０００７】
【課題を解決するための手段】
したがって、液晶ディスプレイ装置を設計する方法を提供する。この方法は、以下のステップを含む。それらは、複数の液晶ディスプレイフィルムのうちの少なくとも１つの視野角に基づいて、液晶ディスプレイ装置の液晶セル間のギャップの範囲を決定するステップと、複数の液晶モジュールの表面透過率および色域に基づいて、液晶ディスプレイ装置の液晶セル間のギャップの少なくとも１つの値を決定するステップと、複数のカラーフィルタフィルムおよびカラーモジュールの光学特性に基づいて、カラーフィルタおよび液晶ディスプレイ装置の１組の光学特性を決定するステップと、液晶ディスプレイ装置およびカラーフィルタの１組の光学特性に関連する値を調整するステップである。それにより、現在および今後の設計のための１組の調整値を生成する。
【０００８】
また、製品を設計するシステムを開発するのに適している液晶ディスプレイモジュールを設計する方法を提供する。このシステムはデータベースを含み、複数の液晶フィルム、複数のカラーフィルタフィルム、複数のテストモジュール、および複数の標準モジュールに関連する色特性パラメータがデータベースに蓄積される。この方法は、以下のステップを含む。それらは、複数の液晶セルギャップおよびそれらのそれぞれの視野角に関連するデータに基づいて、視野角とセルギャップの関係式をもたらし、セルギャップの範囲を得るステップと、複数のパネル表面透過率およびそれらのそれぞれの色域に関連するデータに基づいて、複数の表面透過率とそれらのそれぞれの色域の関係式をもたらし、少なくとも１つのセルギャップ値を得るステップと、複数のカラーフィルタフィルムおよびテストモジュールに関連するデータに基づいて、カラーフィルタフィルムの厚さとカラーフィルタ特性の関係、カラーフィルタ特性と液晶テストモジュールの関係を含む１組の関係式をもたらし、上記関係に基づいて、カラーフィルタ規格および製品規格を決定するステップと、測定値とモデル値の比に基づいて、製品の色特性を補正するステップである。
【０００９】
また、製品のプロトタイプを設計するために液晶モジュールを設計するシステムを提供する。このシステムは、以下のステップを含む方法を行う手段を含む。それらは、複数の液晶ディスプレイフィルムのうちの少なくとも１つの視野角に基づいて、液晶ディスプレイ装置の液晶セル間のギャップの範囲を決定するステップと、複数の液晶モジュールの表面透過率および色域に基づいて、液晶ディスプレイ装置の液晶セル間のギャップの少なくとも１つの値を決定するステップと、複数のカラーフィルタフィルムおよびカラーモジュールの光学特性に基づいて、カラーフィルタおよび液晶ディスプレイ装置の１組の光学特性を決定するステップと、液晶ディスプレイ装置およびカラーフィルタの１組の光学特性に関連する値を調整するステップである。それにより、現在および今後の設計のための１組の調整値を生成する。
【００１０】
また、製品のプロトタイプを設計するために液晶モジュールを設計するシステムを提供する。このシステムはデータベースを含み、複数の液晶フィルム、複数のカラーフィルタフィルム、複数のテストモジュール、および複数の標準モジュールに関連する色特性パラメータがデータベースに蓄積される。このシステムは、以下のステップを含む方法を行う手段を含む。それらは、複数の液晶セルギャップおよびそれらのそれぞれの視野角に関連するデータに基づいて、視野角とセルギャップの関係式をもたらし、セルギャップの範囲を得るステップと、複数のパネル表面透過率およびそれらのそれぞれの色域に関連するデータに基づいて、複数の表面透過率とそれらのそれぞれの色域の関係式をもたらし、少なくとも１つのセルギャップ値を得るステップと、複数のカラーフィルタフィルムおよびテストモジュールに関連するデータに基づいて、カラーフィルタフィルムの厚さとカラーフィルタ特性の関係、カラーフィルタ特性と液晶テストモジュールの関係を含む１組の関係式をもたらし、上記関係に基づいて、カラーフィルタ規格および製品規格を決定するステップと、測定値とモデル値の比に基づいて、製品の色特性を補正するステップである。
【００１１】
本発明のこれらおよび他の特徴、態様、および利点は、図面、説明、および特許請求の範囲を参照すると、より理解されるだろう。
【００１２】
【発明の実施の形態】
以下の詳細な説明は、現在企図されている本発明を実施する最良の形態のものである。本発明の範囲は特許請求の範囲によって最良に規定されるので、その説明は、限定的な意味でとられるべきではなく、単に本発明の一般的な原則を例示する目的でなされているだけである。
【００１３】
液晶ディスプレイに関連する機械または製品を設計するとき、設計者は、モジュール規格を確立するために市場情報または顧客の要望を集める必要があるだろう。モジュール規格は、市場が要求し、顧客が求めるものである。さらに、設計者は、光学設計段階を開始し、液晶セルギャップを決定する。光学設計段階では、さらに、カラーフィルタ光学特性、最終製品のカラーフィルタ光学特性、および他の関連光学特性の散布を含む。さらに、上記光学設計の結果がいくつかの基本設計要件を満たさなければならない。以下は、液晶ディスプレイモジュール設計システムおよび方法を詳細に記載した本発明の実施の形態である。
【００１４】
設計要件が予め定められていることが想定される。たとえば、以下の要素が予め定められている。それらは、最終製品または結果として生じる装置（１５”ＳＸＧＡ+）、光度（１５０ニット）、モジュールのバックライト光度（１５００ニット）、色域（＞４５％ＮＴＳＣ比）、および視野角（水平方向±４５度、垂直方向１０〜３０度）を含む。さらに、光度およびバックライト光度に基づいて、表面透過率を１０パーセントより高くなるように決定する（≧１０％）。
【００１５】
データベースのサブセットを含むデータベースを確立しなければならない。データベースのサブセットは、液晶セルデータベース、カラーフィルタデータベース、テストモジュールデータベース、および設計校正用標準モジュール関連データベースを含む。上記データベースの（データの）値は、設計に関連するさまざまな光学特性の測定に基づいて決定する。さらに、上記値は、モデル化または計算から得られる。しかし、データベースが設計に必要なデータを含んでいなければ、データを得るか、何とかして検索し、データベースに蓄積しなければならない。
【００１６】
さらに、新しい製品の開発が、既知の規格に基づいていなければならない。通常、この規格は、既知の製品に基づいている。本実施の形態では、既知の製品は、Ｎｏ．１５”ＸＧＡシリーズを備えている。
【００１７】
セルギャップの範囲決定
【００１８】
最初に、セルギャップの範囲を決定しなければならない。液晶セルギャップは、視野角に基づいて決定する。すなわち、上記セルギャップ範囲は、視野角および液晶セル間の距離を含む要素を含む任意の式から得られる。
【００１９】
表１を参照すると、６時視野角を有する液晶フィルム（メルク液晶（Merck Liquid Crystal））が記載されている。表に記載されているのは、視野角のさまざまな方向の最大値である。視野角の方向は、３’、９’、１２’、および６’を含む。また表１では、液晶セル間の距離がわかる。さらに、異なったセル間距離を有する液晶フィルムが、計算された最大視野角を有することができる。最後に、上記の測定値のデータをそれらの液晶セルデータベースに蓄積することができる。
【表１】
2004199023.tif 000002
【００２０】
さらに、表１に示されているように、視野角とセル間距離の関係が、液晶セルデータベース内に蓄積されたデータに基づいて確立される。上記関係は、傾向線回帰方法を用いて表わすことができる。視野角特性を上記関係に挿入すると、表２に示されているようにギャップ値が得られる。このように、液晶セル間のギャップがセル間距離の範囲を決定することがわかる。この場合、得られた距離範囲は、３．９３マイクロメートルより大きく、５．４マイクロメートルより小さい。
【表２】
2004199023.tif 000003
【００２１】
表１の３つのフィルムが本発明に対する限定となるべきではないことに留意されたい。適切な数のフィルムを用いて、セル間距離と視野角の関係を得ることができる。さらに、使用する液晶材料は、メルク高速液晶（Merck fast Liquid Crystal）シリーズに限定されるべきではない。実際に、異なったタイプの液晶セルを測定することによって、異なったタイプに関連するデータが蓄積されたサブデータベースをセットアップすることができる。したがって、現在または今後使用するために、複数の異なったタイプの液晶の光学特性の関係をデータベースに蓄積することができる。
【００２２】
セルギャップ値の決定
【００２３】
セルギャップの範囲を確立すると、セルギャップの値を決定することができる。この決定は、設計目的と関係するパネル透過率Ｔ（％）に基づく。すなわち、光学設計システムのセルギャップの選択は、各々が独自のパネル透過率Ｔ（％）を有する複数のパネル間の選択に基づく。パネル透過率Ｔを、さらに光または光学特性（たとえば色域）と比較して、セルギャップを決定する。
【００２４】
本実施の形態において、パネル透過率Ｔと光学特性（色域Ｇ）の関係は、以下のように確立される。
【００２５】
表３〜５を参照すると、各々異なった光学特性を有する３つの異なったモジュールが示されている。表における２つの重要な値が、モジュール色座標値（白色光グレー勾配）とモジュール色域Gであることが留意される。さらに、表３〜５には、各々が独自のカラーフィルタフィルムに関連する３つの異なったモジュールＳ１、Ｓ２、Ｓ３の１組の測定値が記載されている。さらに、現在または今後使用するために測定値をモジュールデータベースに蓄積することができる。
【表３】
2004199023.tif 000004
【表４】
2004199023.tif 000005
【表５】
2004199023.tif 000006
【００２６】
パネル透過率Ｔの導出および透過率補正
【００２７】
ここで、本実施の形態は、パネル透過率Ｔの導出に進み、これは、製品要件を満たすために補正しなければならない。補正後のパネル透過率Ｔは、以下のように表わすことができる。
【００２８】
Ｔ（％）＝Ｙ*口径比補正*液晶ギャップ補正*計算値対測定値補正      …（１）
【００２９】
ここで、Yは、光学特性座標を表わし、口径比補正は、設計される装置（１５”ＳＸＧＡ+型）と標準または校正装置（１５”ＸＧＡ型）の比である。液晶ギャップ補正は、ＴLCを用いた計算値とその対応する測定値の比と定義する。したがって、補正のために実際の特定値を用いる。さらに、液晶透過率と液晶ギャップの関係を液晶サブデータベースから検索することができる。さらに、上記データベースのデータは、傾向線回帰を用いて得ることができ、以下のように表わされる。
【００３０】
ＴLC＝−０．０８８ｄg2＋０．１９１８ｄg−０．１２０    …（２）
【００３１】
生産ラインへの適用の例示された実施の形態において、液晶ギャップは、４．３マイクロメートルまたは４．７マイクロメートルの間で交互する。したがって、補正値は、４．３マイクロメートルまたは４．７マイクロメートルのいずれかである。さらに、補正は、計算値と測定値の比として表わされる。具体的には、この比は、標準モジュールの透過率とモデル化されたモジュールの透過率の比として表わされる。
【００３２】
上記の値を式（１）に代入すると、表６に示すように、それぞれ４．３μｍおよび４．７μｍにおけるモジュールＳ１、Ｓ２、およびＳ３の透過率を計算することができる。
【表６】
2004199023.tif 000007
【００３３】
表３〜５からＧの値をとり、表６からＴの値をとると、ＴとＧの関係に達することができる。これは、式（３）および（４）に示されるように、傾向線回帰方法を用いて達成することができる。
【００３４】
Ｔ（４．３μｍ）＝−０．１０４８Ｇ＋１４．１７２        …（３）
【００３５】
Ｔ（４．７μｍ）＝−０．１０７５Ｇ＋１４．５３          …（４）
【００３６】
上記式（３）および（４）に基づいて、設計要件をこれらの式に挿入する。Ｇ＝４５％の場合、以下の通りである。
【００３７】
Ｔ（４．３μｍ）＝９．４５６＜１０％
【００３８】
Ｔ（４．７μｍ）＝９．６９３＜１０％
【００３９】
さらに、透過率が１０％の場合、以下の通りである。
【００４０】
Ｔ（ギャップ＝４．３μｍ）＞１０％、色域＝４２％
【００４１】
Ｔ（ギャップ＝４．７μｍ）＞１０％、色域＝３９％
【００４２】
上記に基づくと、４．７マイクロメートルのギャップ値を有することがより有利である。
【００４３】
ギャップ値が決定すると、さらに、装置または製品のカラーフィルタフィルムおよび他の光学特性の値を計算する。製品のカラーフィルタフィルムおよび他の光学特性の値は、カラーフィルタフィルムの厚さから得られる。フィルムの厚さは、カラーフィルタ特性との関係と、それのｘ、ｙ、Yパラメータと関連したカラーフィルタ特性の関係を有している。
【００４４】
上記関係は、以下のように確立される。最初に、カラーフィルタサブデータベースからデータを検索する。データは、異なった厚さｄを有する３つの異なったフィルムに関連するデータを含んでいる。テストフィルムの光学特性は、ｘｃ、ｙｃ、Ｙｃとして表わされる。テストモジュールの光学特性は、ｘｍ、ｙｍ、Ｙｍとして表わされ、これらは、テストモジュールサブデータベースから得ることができる。上記ｄ、ｘｃ、ｙｃ、Ｙｃ、およびｘｍ、ｙｍ、Ｙｍの値は、表７〜９に、赤色（Ｒ）、緑色（Ｇ）、および青色（Ｂ）に応じて記載されている。
【表７】
2004199023.tif 000008
【表８】
2004199023.tif 000009
【表９】
2004199023.tif 000010
【００４５】
理解できるように、カラーフィルタフィルムの厚さ、テストモジュール色特性、カラーフィルタのｘ、ｙ、Y間の関係は、表７を用いて得ることができる。図１において、上記関係が傾向線回帰を用いて確立されている。ここで図１を参照すると、赤フィルタフィルムと、ｄ対ｘｃ、ｘｃ対ｙｃ、ｘｃ対Ｙｃ、ｘｃ対ｘｍ、ｘｃ対ｙｍ、およびｘｃ対Ｙｍの関係が示されている。赤色はｘｃによって決定されるので、それは開始点として用いられる。傾向線回帰に基づくと、少なくとも２つの点が回帰に必要である。
【００４６】
表８から図２に達する。図２を参照すると、緑ｙｃ対ｄ、緑ｘｃ対ｙｃ、緑Ｙｃ対ｙｃ、緑ｙｃ対ｘｍ、緑ｙｃ対ｙｍ、および緑ｙｃ対Ｙｍの関係が示されている。緑色はｙｃによって決定されるので、それは開始点として用いられる。
【００４７】
同様に、表９から図３へ、同様のパラメータ関係が得られる。青色はｙｃによって決定されるので、それは開始点として用いられる。
【００４８】
色域が４５％であるという要件と合わせて図１〜図３に基づいた関係を確立すると、受入れられる厚さは、１．１〜１．３μｍであるべきである。装置の色特性は、表１０に示されている。
【表１０】
2004199023.tif 000011
【００４９】
表１０の値は、設計装置のカラーフィルタ特性である。しかし、上記値は、最終組のカラーフィルタ特性データに達するためにさらに補正する必要がある。
【００５０】
必要な補正には、設計標準サブデータベースからのデータ検索と、測定データが必要である。設計標準データベースは、３タイプの標準テストモジュールを確立することができる。それらは、以下の通りである。
【００５１】
（ｉ）１５”ＸＧＡフロントパネル＋普通の上側および下側偏光フィルタ（視野角補償フィルム（ＷＶフィルム）を除く）＋１５”バックライト
【００５２】
（ｉｉ）１５”ＸＧＡフロントパネル＋普通の上側偏光フィルタ＋普通の下側偏光フィルタ（視野角補償フィルム（ＷＶフィルム）を除くが、ＤＢＥＦを含む）＋１５”バックライト
【００５３】
（ｉｉｉ）１５”ＸＧＡフロントパネル＋普通の上側偏光フィルタ＋普通の下側偏光フィルタ（視野角補償フィルム（ＷＶフィルム）を除くが、ＰＣＦを含む）＋１５”バックライト
【００５４】
モジュール値は、（ｉ）の構成に基づいて計算する。
【００５５】
ここで、図４を参照すると、測定値とモデル値がそれぞれ部分Ａおよび部分Ｂに示されている。さらに、部分Ｃには、製品モジュールの光学特性が示されている。１組の完全な推定値は、部分Ａの測定値と部分Ｂのモデル値の比にモジュール光学特性値を乗じることによって得られる。透過率の補正値（ＸＧＡからＳＸＧＡ+）は、開口比補正から得られる（ＸＧＡ＝６６．５％からＳＸＧＡ+＝５７％）。さらに、光度の完全な推定値は、バックライトモジュールである係数１とＳＸＧＡ+透過率である係数２の積である。補正されたものが部分Ｄに入っている。
【００５６】
さらに、図５において、同じものの部分Ｄが（ｉｉ）に関連しており、ＤＢＥＦ（輝度上昇フィルム）が用いられる。図６において、同じものの部分Ｄが（ｉｉｉ）に関連しており、ＰＣＦ（偏光変換フィルム）が用いられる。
【００５７】
図４〜図６から、ＤＢＥＦ（図５）およびＰＣＦ（図６）を用いると設計要件を満たすことがわかる。したがって、上記の光学特性は、製品の設計要件を満たす。
【００５８】
本発明の１つの実施の形態は、コンピュータシステムで使用するプログラム製品として実現される。プログラム製品のプログラムは、実施の形態の機能を規定し、さまざまな信号保持媒体上に含むことができる。例示的な信号保持媒体は、（ｉ）書込み不可記憶媒体（たとえば、ＣＤ−ＲＯＭドライブによって読出し可能なＣＤ−ＲＯＭディスクなどのコンピュータ内の読出し専用メモリ装置）に永久的に蓄積された情報、（ｉｉ）書込み可能な記憶媒体（たとえば、ディスケットドライブまたはハードディスクドライブ内のフロッピーディスク）に蓄積された変更可能な情報、または（ｉｉｉ）無線通信を含めてコンピュータネットワークまたは電話網などによる通信媒体によってコンピュータに伝達される情報を含むが、これらに限定されない。後者の実施の形態は、具体的には、インターネットおよび他のネットワークからダウンロードされた情報を含む。そのような信号保持媒体は、本発明の機能を指示するコンピュータ読出し可能命令を伝えるとき、本発明の実施の形態を表わす。
【００５９】
一般に、本発明の実施の形態を実現するために実行されるルーチンは、オペレーティングシステムの一部として実現されても、特定のアプリケーション、コンポーネント、プログラム、モジュール、オブジェクト、または命令シーケンスとして実現されても、ここで「プログラム」と呼ぶことができる。コンピュータプログラムは、典型的には、ネイティブコンピュータによって機械読出し可能フォーマットに翻訳されて実行可能な命令になる多数の命令から構成される。また、プログラムは、プログラムに対して局所的に存在するか、メモリ内または記憶装置上に見出される変数およびデータ構造から構成される。さらに、後述するさまざまなプログラムは、本発明の特定の実施の形態でそれらのプログラムが実現されるアプリケーションに基づいて特定することができる。しかし、付随するいかなる特定のプログラムの名称も、単に便宜上、用いられていることが理解されるべきであり、したがって、本発明は、そのような名称によって特定される、および／または示唆される特定のアプリケーションのみでの使用に限定されるべきではない。
【００６０】
また、上述のデータベースのデータが完全でない場合があることに留意されたい。不完全なデータベースは、関連データを追加することによって、より完全にすることができる。さらに、本発明は、コンピュータプログラムなどの効率的な手段を用いて、設計パラメータの十分な精度を維持しながら同時に設計プロセスを迅速にすることを企図している。
【００６１】
色域は、所与のシステムの色の全範囲を表わす値と定義する。色域（ｇａｍｕｔ）は、色域（ｃｏｌｏｒ  ｇａｍｕｔ）の略称である。
【００６２】
上記が本発明の好ましい実施の形態に関連しており、特許請求の範囲に記載される本発明の精神および範囲から逸脱することなく変更がなされてもよいことが、当然、理解されるべきである。
【図面の簡単な説明】
【図１】傾向線回帰を用いた、本発明の第１組の値の導出を示す。
【図２】傾向線回帰を用いた、本発明の第２組の値の導出を示す。
【図３】傾向線回帰を用いた、本発明の第３組の値の導出を示す。
【図４】本発明の第１組の値を記載している第１の表である。
【図５】本発明の第２組の値を記載している第２の表である。
【図６】本発明の第３組の値を記載している第３の表である。
【図１】
2004199023.tif 000012
【図２】
2004199023.tif 000013
【図３】
2004199023.tif 000014
【図４】
2004199023.tif 000015
【図５】
2004199023.tif 000016
【図６】
2004199023.tif 000017